(57)【要約】      （修正有）【課題】構造が簡単であり、良い噴霧効果を達成するとともに、水蒸気が湧き上がる場合の音も無くした超音波浮上噴霧ヘッドを有する加湿器を提供する。【解決手段】水タンク１と、ミストガイド管２と、噴霧ヘッド３と、蓋本体とを備える超音波浮上噴霧ヘッドを有する加湿器であって、ミストガイド管２が水タンク１に設けられ、ミストガイド管２の側壁に開口を有し、噴霧ヘッド３がミストガイド管２に設けられ、蓋本体が水タンク１にかけられ、ミストガイド管２に接続され、蓋本体の噴霧口４３１がミストガイド管２に連通する。水タンク１にミストガイド管２を設け、ミストガイド管２に水位とともに上下に浮動できる噴霧ヘッド３を設けることで、噴霧された水蒸気が加湿器の底部から水面まで湧き上がる必要がない。【選択図】図２
0003235124.tif 000002
【実用新案登録請求の範囲】
【請求項１】
水タンクと、ミストガイド管と、噴霧ヘッドと、蓋本体とを備える超音波浮上噴霧ヘッドを有する加湿器であって、前記ミストガイド管が前記水タンクに設けられ、前記ミストガイド管の側壁に開口を有し、前記噴霧ヘッドが前記ミストガイド管に設けられ、前記蓋本体が前記水タンクにかけられ、前記ミストガイド管に接続され、前記蓋本体の噴霧口が前記ミストガイド管に連通することを特徴とする、超音波浮上噴霧ヘッドを有する加湿器。
【請求項２】
前記蓋本体は、本体の下ケースと、本体の上ケースと、噴霧蓋とを備え、前記本体の下ケースが前記水タンクにかけられ、前記本体の上ケースが前記本体の下ケースに設けられ、前記噴霧蓋が前記本体の上ケースに設けられ、前記噴霧口が前記噴霧蓋に位置することを特徴とする、請求項１に記載の超音波浮上噴霧ヘッドを有する加湿器。
【請求項３】
前記ミストガイド管と前記噴霧口との間に水ろ過綿が設けられていることを特徴とする、請求項１に記載の超音波浮上噴霧ヘッドを有する加湿器。
【請求項４】
前記噴霧ヘッドは、浮動下ケースと、浮動上ケースと、浮動綿と、アトマイザとを備え、前記浮動上ケースが前記浮動下ケースに設けられ、前記浮動綿が、前記浮動下ケースと浮動上ケースで構成される取付け空間に設けられ、前記アトマイザが前記取付け空間に設けられ、前記浮動綿と前記浮動下ケースとの間に位置することを特徴とする、請求項１に記載の超音波浮上噴霧ヘッドを有する加湿器。
【請求項５】
前記蓋本体には、給気口が前記蓋本体の給気孔に向いており、排気口が前記ミストガイド管の側壁のエアダクトに向いているファンが設けられていることを特徴とする、請求項１に記載の超音波浮上噴霧ヘッドを有する加湿器。
【請求項６】
前記ミストガイド管の側壁に固定ロックを有し、前記蓋本体にロック溝を有し、前記固定ロックが前記ロック溝に係止されることを特徴とする、請求項１に記載の超音波浮上噴霧ヘッドを有する加湿器。
【請求項７】
前記固定ロックは、取付け凹形板と、ロックブロック、ばねとを備え、前記取付け凹形板が前記ミストガイド管に設けられ、前記ロックブロックが前記取付け凹形板の取付け位置に設けられ、その一端が前記取付け位置に露出し、前記ばねが前記取付け位置に設けられ、その両端がそれぞれ前記ミストガイド管及びロックブロックに当接することを特徴とする、請求項6に記載の超音波浮上噴霧ヘッドを有する加湿器。
【請求項８】
前記蓋本体には、前記蓋本体の内部における取付けブラケットに設けられる制御盤と、前記蓋本体に外嵌され、前記制御盤に電気的に接続されるディスプレイと、を備える制御表示ユニットが設けられていることを特徴とする、請求項１に記載の超音波浮上噴霧ヘッドを有する加湿器。
【請求項９】
前記蓋本体に温湿度センサが設けられていることを特徴とする、請求項１に記載の超音波浮上噴霧ヘッドを有する加湿器。
【請求項１０】
前記蓋本体に装飾リングが外嵌されていることを特徴とする、請求項１に記載の超音波浮上噴霧ヘッドを有する加湿器。
【考案の詳細な説明】
【技術分野】
【０００１】
本考案は、超音波浮上噴霧ヘッドを有する加湿器に関する。
【背景技術】
【０００２】
加湿器は部屋の湿度を増加させる家電機器である。しかし、従来の加湿器の噴霧ヘッドは加湿器の底部に固定されるものであり、水位に基づき昇降することができず、噴霧された水蒸気が加湿器の底部から水面まで湧き上がることにより、噴霧された水柱が小さく、噴霧効果が良くなく、水蒸気が湧き上がる場合に音が大きい。
【考案の概要】
【０００３】
前記問題を解決するために、本考案は、水タンクと、ミストガイド管と、噴霧ヘッドと、蓋本体とを備える超音波浮上噴霧ヘッドを有する加湿器であって、前記ミストガイド管が前記水タンクに設けられ、前記ミストガイド管の側壁に開口を有し、前記噴霧ヘッドが前記ミストガイド管に設けられ、前記蓋本体が前記水タンクにかけられ、前記ミストガイド管に接続され、前記蓋本体の噴霧口が前記ミストガイド管に連通する超音波浮上噴霧ヘッドを有する加湿器を提案している。
【０００４】
一つ又は複数の実施例において、前記蓋本体は、本体の下ケースと、本体の上ケースと、噴霧蓋とを備え、前記本体の下ケースが前記水タンクにかけられ、前記本体の上ケースが前記本体の下ケースに設けられ、前記噴霧蓋が前記本体の上ケースに設けられ、前記噴霧口が前記噴霧蓋に位置する。
【０００５】
一つ又は複数の実施例において、前記ミストガイド管と前記噴霧口との間に水ろ過綿が設けられている。
【０００６】
一つ又は複数の実施例において、前記噴霧ヘッドは、浮動下ケースと、浮動上ケースと、浮動綿と、アトマイザとを備え、前記浮動上ケースが前記浮動下ケースに設けられ、前記浮動綿が、前記浮動下ケースと浮動上ケースで構成される取付け空間に設けられ、前記アトマイザが前記取付け空間に設けられ、前記浮動綿と前記浮動下ケースとの間に位置する。
【０００７】
一つ又は複数の実施例において、前記蓋本体には、給気口が前記蓋本体の給気孔に向いており、排気口が前記ミストガイド管の側壁のエアダクトに向いているファンが設けられている。
【０００８】
一つ又は複数の実施例において、前記ミストガイド管の側壁に固定ロックを有し、前記蓋本体にロック溝を有し、前記固定ロックが前記ロック溝に係止される。
【０００９】
一つ又は複数の実施例において、前記固定ロックは、取付け凹形板と、ロックブロック、ばねとを備え、前記取付け凹形板が前記ミストガイド管に設けられ、前記ロックブロックが前記取付け凹形板の取付け位置に設けられ、その一端が前記取付け位置に露出し、前記ばねが前記取付け位置に設けられ、その両端がそれぞれ前記ミストガイド管及びロックブロックに当接する。
【００１０】
一つ又は複数の実施例において、前記蓋本体には、前記蓋本体の内部における取付けブラケットに設けられる制御盤と、前記蓋本体に外嵌され、前記制御盤に電気的に接続されるディスプレイと、を備える制御表示ユニットが設けられている。
【００１１】
一つ又は複数の実施例において、前記蓋本体に温湿度センサが設けられている。
【００１２】
一つ又は複数の実施例において、前記蓋本体に装飾リングが外嵌されている。
【考案の効果】
【００１３】
本考案に係る超音波浮上噴霧ヘッドを有する加湿器は構造が簡単であり、水タンクにミストガイド管を設け、ミストガイド管に水位とともに上下に浮動できる噴霧ヘッドを設けることで、噴霧された水蒸気が加湿器の底部から水面まで湧き上がる必要がなく、良い噴霧効果を達成するとともに、水蒸気が湧き上がる場合の音も無くした。
【図面の簡単な説明】
【００１４】
【図１】本考案に係る実施例における超音波浮上噴霧ヘッドを有する加湿器の概略構成図である。
【図２】本考案に係る実施例における超音波浮上噴霧ヘッドを有する加湿器の断面図である。
【図３】本考案に係る実施例における超音波浮上噴霧ヘッドを有する加湿器の分解模式図である。
【考案を実施するための形態】
【００１５】
以下に添付図面に基づき、本出願をさらに説明する。
【００１６】
添付図面１〜３を参照する。本願に係る超音波浮上噴霧ヘッドを有する加湿器は、水タンク１と、ミストガイド管２と、噴霧ヘッド３と、蓋本体４とを備え、ミストガイド管２が水タンク１に設けられ、ミストガイド管２の側壁に開口２１を有し、噴霧ヘッド３がミストガイド管２に設けられ、蓋本体４が水タンク１にかけられ、ミストガイド管２に接続され、蓋本体４の噴霧口４３１がミストガイド管２に連通する。
【００１７】
さらに、蓋本体４は、本体の下ケース４１と、本体の上ケース４２と、噴霧蓋４３とを備え、本体の下ケース４１が水タンク１にかけられ、本体の上ケース４２が本体の下ケース４１に設けられ、噴霧蓋４３が本体の上ケース４２に設けられ、噴霧口４３１が噴霧蓋４３に位置する。
【００１８】
よりさらには、噴霧ヘッド３は、浮動下ケース３１と、浮動上ケース３２と、浮動綿３３と、アトマイザ３４とを備え、浮動上ケース３２が浮動下ケース３１に設けられ、浮動綿３３が、浮動下ケース３１と浮動上ケース３２で構成される取付け空間に設けられ、アトマイザ３４が取付け空間に設けられ、浮動綿３３と浮動下ケース３１との間に位置する。
【００１９】
典型的に用いられる場合、水タンク１に所定量の水を注入し、水タンク１における水が開口２１を経由してミストガイド管２に入り、噴霧ヘッド３が浮動綿３３の作用により水の表面に浮いている。加湿器を始動させると、アトマイザ３４が取付け空間に入る水を噴霧し、噴霧された水柱が浮動上ケース３２から上へ排出され、順番にミストガイド管２、本体の下ケース４１の噴霧チャネル及び噴霧蓋４３の噴霧口４３１を経由して排出される。
【００２０】
好ましくは、ミストガイド管２と噴霧口４３１との間に水ろ過綿５が設けられている。水ろ過綿５は水に存在する不純物を分離させる。
【００２１】
好ましくは、本体の上ケース４２には、給気口が本体の上ケース４２の給気孔に向いており、排気口がミストガイド管２の側壁のエアダクト２２に向いているファン６が設けられている。速やかに環境を所定の湿度まで加湿するように、ファン６は水霧の噴出速度を向上することができる。
【００２２】
好ましくは、ミストガイド管２の側壁に固定ロック７を有し、本体の下ケース４１にロック溝４１１を有し、固定ロック７がロック溝４１１に係止される。具体的には、固定ロック７は、取付け凹形板７１と、ロックブロック７２と、ばね７３とを備え、取付け凹形板７１がミストガイド管２に設けられ、ロックブロック７２が取付け凹形板７１の取付け位置に設けられ、その一端が取付け位置に露出し、ばね７３が取付け位置に設けられ、その両端がそれぞれミストガイド管２及びロックブロック７２に当接する。典型的に用いられる場合、固定ロック７の数は２つであり、それぞれ、ミストガイド管２の対向する両側に位置する。それに応じて、ロック溝４１１の数も２つである。取付け時に、２つのロックブロック７２を掴んで、２つのファスナーを近接させる。この場合、ばね７３が圧縮され、ロックブロック７２をロック溝４１１に合わせ、ロックブロック７２を放すと、ばね７３が未圧縮状態に戻り、ロックブロック７２を動かしてロック溝４１１に係止させる。
【００２３】
好ましくは、蓋本体４には、本体の上ケース４２の内部における取付けブラケット８３に設けられる制御盤８１と、蓋本体４に外嵌され、制御盤８１に電気的に接続されるディスプレイ８２と、を備える制御表示ユニット８が設けられている。制御盤８１により、加湿器を制御しやすくなる。ユーザが分かりやすいように、ディスプレイ８２に加湿器の稼動状態を表示することができる。
【００２４】
好ましくは、本体の上ケース４２に温湿度センサ８４が設けられている。温湿度センサ８４は、制御盤８１に電気的に接続され、温湿度を監視し、加湿器の稼動状態を自動的に調整するものである。
【００２５】
好ましくは、蓋本体４の本体の上ケース４２に装飾リング４２１が外嵌されている。本体の上ケース４２の内部にムードライト８５が設けられている。ムードライト８５は制御盤８１に電気的に接続され、その明かりが装飾リング４２１から漏れることが可能であり、夜に常夜灯として機能することができる。
【００２６】
好ましくは、本体の下ケース４１と水タンク１の接合部にシールリング９が設けられており、接合部の密封を図る。
【００２７】
前記好ましい実施の態様は、本願の実施の態様を説明するものと見なすべきである。本願と重複、近似するもの、又はこれに基づき行われた技術的シミュレーション、置き換え、改善等は、すべて本特許の保護範囲に属するものと見なすべきである。
【図１】
0003235124.tif 000003
【図２】
0003235124.tif 000004
【図３】
0003235124.tif 000005